(57)【要約】【課題】高所への取付け作業を簡略化すると共に、作業性の移動性の悪さを解消し作業コストの低減を図ることができる工事用表示具を提供する。【解決手段】工事現場の被取付体Ｑに係止する係止体１０を設ける。係止体１０の下方に連続し工事作業のメッセージを表示する表示体２０を設ける。表示体２０の下方に連続する挿入突起体３０を設ける。この挿入突起体３０を工事現場で使用されている支持材Ｐの先端に固定するように構成する。挿入突起体３０を係止体１０の鉛直下方の位置に配置する。挿入突起体３０から係止体１０までが支持材Ｐの先端で垂直に支持されるように構成する。【選択図】  図１
2018146902.tif 000002
【特許請求の範囲】
【請求項１】
工事現場の被取付体に係止する係止体と、該係止体の下方に連続し工事作業のメッセージを表示する表示体と、該表示体の下方に連続し工事現場で使用されているパイプ材又は棒状材を利用した支持材の先端に固定する挿入突起体とを備え、該挿入突起体を係止体の鉛直下方の位置に配置し、挿入突起体から係止体までが支持材の先端で垂直に支持されるように構成したことを特徴とする工事用表示具。
【請求項２】
前記支持材を電線管とし、前記挿入突起体は、電線管の先端に挿入可能な太さに形成すると共に、該挿入突起体の上端部に電線管の開口端部に載置する載置板を設けた請求項１記載の工事用表示具。
【請求項３】
前記係止体はケーブルに係止するフック形状を成し、該係止体の上端部に係止補助部を設けた請求項１記載の工事用表示具。
【発明の詳細な説明】
【技術分野】
【０００１】
本発明は、例えば改修工事において再利用しなければならないケーブルを間違って切断しないように注意を促すためにケーブル等に係止する工事用表示具に係り、特に、特殊な取付装置を使用せずに床上から高所のケーブル等に取付けることができる工事用表示具に関するものである。
【背景技術】
【０００２】
従来の工事用表示具として、特許文献１、２に記載の表示具が提案されている。特許文献１の表示具は、プラスチックシートによって、Ｔ字状の止め具を設け、上半分が下半分に重なるように２つに折り曲げ接着することによってその強度を補強し、鉄管やロープに巻き付けて固定する工事用の表示具である。
【０００３】
また、特許文献２に記載の表示具は、電線保護管に巻き付けるもので、電線保護管に巻き付けたときに上下に重なり合う部分を係止するように構成したものである。
【０００４】
これらの表示具は、いずれも作業者が直接ケーブルや電線保護管に装着するものである。そのため、ケーブルや電線保護管等が高所にある場合、作業者は脚立等を使用した高所作業になり、作業時の安全性や脚立運搬時の移動性などに多くの課題が生じている。
【０００５】
そのため、特許文献３に記載の取付装置のように、地上から高所の電線等に表示具を取り付けることが可能な取付装置が提案されている。この取付装置は、地上から高所の電線等に届く長さの棒状部材を備え、この棒状部材の先端に設けた挟持体の中間閉じ部に表示具を仮に挟持し、解除機構に取り付けられた紐体を下方に引くと電線把持部が閉じて、表示具が電線等に取り付けられるように構成したものである。
【先行技術文献】
【特許文献】
【０００６】
【特許文献１】特許第４６０５８３２号公報
【特許文献２】特許第４２７１９９０号公報
【特許文献３】特開２０１１-２４４６０７号公報
【発明の概要】
【発明が解決しようとする課題】
【０００７】
特許文献１や特許文献２のように、作業者が直接ケーブルや電線保護管に装着する表示具では、ケーブル等が高所にあると高所作業になるので作業の危険性が高まり、脚立等を運搬しながら移動する際の移動性が劣るなどの不都合が生じる。
【０００８】
一方、特許文献３のような取付装置を使用するには、取付装置の構造が複雑になるので製造コストが増大する上、取付装置の重量も重くなる。そのため、取付装置を運搬しながら作業を行う際の移動性の悪さや、作業コスト上の課題などが残されるものである。
【０００９】
そこで本発明は上述の課題を解消すべく創出されたもので、高所への取付け作業を簡略化すると共に、脚立や特殊な取付装置を運搬しながら行う移動性の悪さを解消し作業コストの低減を図ることができる工事用表示具の提供を目的とするものである。
【課題を解決するための手段】
【００１０】
上述の目的を達成すべく本発明における第１の手段は、工事現場の被取付体Ｑに係止する係止体１０と、該係止体１０の下方に連続し工事作業のメッセージを表示する表示体２０と、該表示体２０の下方に連続し工事現場で使用されているパイプ材又は棒状材を利用した支持材Ｐの先端に固定する挿入突起体３０とを備え、該挿入突起体３０を係止体１０の鉛直下方の位置に配置し、支持材Ｐの先端で挿入突起体３０及び係止体１０を垂直に支持するように構成したことにある。
【００１１】
第２の手段において、前記支持材Ｐを電線管とし、前記挿入突起体３０は、電線管の先端に挿入可能な太さに形成すると共に、該挿入突起体３０の上端部に電線管の開口端部に載置する載置板３１を設けたものである。
【００１２】
第３の手段において、前記係止体１０はケーブルに係止するフック形状を成し、該係止体１０の上端部に係止補助部１１を設けたことにある。
【発明の効果】
【００１３】
本発明の請求項１のごとく、挿入突起体３０を係止体１０の鉛直下方の位置に配置し、支持材Ｐの先端で挿入突起体３０及び係止体１０を垂直に支持するように構成したことにより、工事現場に準備されている支持材Ｐを利用して既存ケーブル等の被取付体Ｑに表示具を装着することができる。この結果、高所への取付け作業を簡略化すると共に、作業性の移動性の悪さを解消し作業コストの低減を図ることができる。
【００１４】
請求項２のように、挿入突起体３０を電線管の先端に挿入可能な太さに形成すると共に、該挿入突起体３０の上端部に電線管の開口端部に載置する載置板３１を設けたことで、改修工事の現場に備えられている電線管を支持材Ｐとして利用することができる。しかも、電線管の端部に載置する載置板３１により、安定した状態で支持することができる。したがって、改修工事現場において極めて入手し易く、操作性も良好になる。
【００１５】
請求項３のごとく、係止体１０はケーブルに係止するフック形状成し、係止体１０の上端部に係止補助部１１を設けたことにより、改修工事現場における撤去ケーブルと既存ケーブルとの目印に使用することが可能になる。更に、係止補助部１１にナイロンバンドや他の被取付体Ｑなどを係止することも可能になるので、ケーブル以外にも係止することが可能になるものである。
【図面の簡単な説明】
【００１６】
【図１】本発明の一実施例を示す斜視図である。
【図２】本発明の使用状態を示し、（イ）はパイプ材にて支持している状態、（ロ）はケーブルに係止している状態を示す正面図である。
【図３】本発明の一実施例を示す底面図である。
【図４】（イ）、（ロ）は本発明の挿入突起体の他の実施例を示す要部斜視図である。
【図５】本発明の他の使用例を示す正面図である。
【発明を実施するための形態】
【００１７】
本発明表示具は、例えば改修工事の際に撤去ケーブルや既存ケーブルへ取付けることにより間違って切断しないように注意を促す際に使用する。また、この使用用途は工事に関するものであれば特に限定されない。
【００１８】
本発明は、係止体１０、表示体２０、挿入突起体３０にて構成するもので、例えばポリプロピレン等の合成樹脂材にて形成されるものである（図１参照）。各構成部材を一体成形する他、各構成部材を各別に形成してから組み合わせることも可能である。また、これらの材質は、金属製、紙製などに変更することもできる。
【００１９】
係止体１０は、工事現場の電線やケーブルラックの子桁などの被取付体Ｑに係止する部位である（図１参照）。図示の係止体１０は、設置済ケーブルに係止するフック形状を成している。このようなフック形状の係止体１０は、ケーブルの他にも比較的多種類の被取付体Ｑに係止することが可能になる。例えばケーブルラックの子桁に係止することもできる。また、係止体１０を別体で設け、表示体２０に対する係止体１０の向きを平行な位置と直交する位置とに選択できるように設けることも可能である。
【００２０】
更に、この係止体１０の上端部に係止補助部１１を設けることでナイロンバンド等の緊締具を連結することも可能になる（図１参照）。また、係止補助部１１の形状を変更し、他のフック部に係止可能な係止補助部１１を設けることもできる。したがって、この係止補助部１１を使用すると、より確実な固定が可能になり、被取付体Ｑの選択範囲を広げることができる。
【００２１】
表示体２０は、係止体１０の下方に連続形成される部位で、工事作業のメッセージを表示する（図１参照）。図示の表示体２０は矩形状を成し、予めメッセージが印刷されたシール等を着脱自在に貼り付けるように構成している。すなわち、表示体２０はポリプロピレンにて形成し、粘着剤が塗布されたシール、ステッカー、テープなどを貼り付けるものである。また、この表示体２０にメッセージを直接手書きで記入することも可能である。例えば、改修工事で使用する場合、表示体２０に示すメッセージとして、残しておくケーブルを示す表示や、撤去するケーブルを示す表示、あるいはどちらか不明なケーブルであることを示す表示になる。尚、図中符号２１は補助孔を示し、この補助孔２１にナイロンバンド等の緊締具を連結してガス管や冷媒管等の太パイプやその他の部材に係止することも可能になる。
【００２２】
挿入突起体３０は、工事現場で使用されているパイプ材又は棒状材を利用した支持材Ｐの先端に固定する杆状の部位で、表示体２０の下方に連続形成されている（図１参照）。そして、この挿入突起体３０を係止体１０の鉛直下方の位置に配置することで、支持材Ｐに装着した挿入突起体３０から係止体１０までが支持材Ｐの先端で垂直に支持されるように構成している。
【００２３】
この挿入突起体３０は、特に、支持材Ｐとして電線管の先端に挿入可能な太さに形成すると、改修工事現場において最も入手し易い軽量な電線管を支持材Ｐとして使用することができる。例えば、内径16mm〜17mm程度の厚鋼電線管や薄電線管、ねじなし電線管、硬質ポリ塩化ビニル管などの利用が好ましい。そして、挿入突起体３０の上端部に載置板３１を設ける。
【００２４】
図示の挿入突起体３０は、３枚の帯状板３２を長手方向に接合して断面が放射状を成す形状に形成している（図３参照）。このように挿入突起体３０を形成することで、支持材Ｐ端部の径の違いに対応することが可能になり、挿入突起体３０の軽量化を図ることもできる。
【００２５】
また、帯状板３２に幅の異なった段部３３段部を形成することで、より細い支持材Ｐを選択して使用することができる（図４（イ）参照）。更に、同図（ロ）は、挿入突起体３０の軸芯部に穴部３４を形成したものである。この穴部３４に工事現場で使用されている全ネジボルト等の先端部を挿入して固定することも可能になる。
【００２６】
本発明の使用方法として、例えば支持材Ｐとする電線管の端部に挿入突起体３０を挿入し垂直に支持しながらケーブル等の被取付体Ｑ近くまで持ち上げる（図２（イ）参照）。更に、被取付体Ｑに係止体１０を係止して支持材Ｐを下に引き抜くと、被取付体Ｑに係止体１０が係止した状態になる（同図（ロ）参照）。
【００２７】
また、この挿入突起体３０を工事現場の仮設用パイプの上端開口部に挿入することも可能である（図５参照）。この場合、挿入突起体３０と共に載置板３１は仮設用パイプの内部に収納され、表示体２０の下端が仮設用パイプの上端開口部に係止する。このような使用により、仮設工事等に関するメッセージを表示体２０に表示することが可能になる。
【００２８】
尚、本発明の構成は図示例に限定されるものではなく、係止体１０、表示体２０、挿入突起体３０の形状や材質等は、本発明の要旨を変更しない範囲で任意に変更することができる。
【符号の説明】
【００２９】
Ｐ  支持材
Ｑ  被取付体
１０  係止体
１１  係止補助部
２０  表示体
２１  補助孔
３０  挿入突起体
３１  載置板
３２  帯状板
３３  段部
３４  穴部
【図１】
2018146902.tif 000003
【図２】
2018146902.tif 000004
【図３】
2018146902.tif 000005
【図４】
2018146902.tif 000006
【図５】
2018146902.tif 000007